(57)【要約】      （修正有）【課題】多方式で時間を表示する掛け時計を提供する。【解決手段】掛け時計本体１１を含み、掛け時計本体の中の右側には数字表示装置１０１が設置され、数字表示装置の中には時計装置１０２が設置され、掛け時計本体の中の左側には伝動装置１０３が設置され、数字表示装置の中には上下に対称している昇降板１２が設置され、昇降板の右端面の中には表示画面１３が固定的に設置され、表示画面の相対する一端が一つになって表示でき、掛け時計本体の中の前後両側には翻転チャンバが対称的に設置され、翻転チャンバの中には翻転ロッドが上下に対称的に回転できるように設置される。【選択図】図１
2020173237.tif 000002
【特許請求の範囲】
【請求項１】
掛け時計本体を含み、前記掛け時計本体の中の右側には数字表示装置が設置され、前記数字表示装置の中には時計装置が設置され、前記掛け時計本体の中の左側には伝動装置が設置され、前記数字表示装置の中には上下に対称している昇降板が設置され、前記昇降板の右端面の中には表示画面が固定的に設置され、前記表示画面の相対する一端が一つになって表示でき、前記掛け時計本体の中の前後両側には翻転チャンバが対称的に設置され、前記翻転チャンバの中には翻転ロッドが上下に対称的に回転できるように設置され、前記翻転ロッドが前記昇降板を連動させ上下両側にオープンさせることができ、同時に前記時計装置を始動し、二つの方式で表示し、前記時計装置は前記掛け時計本体の中に設置されるスライドチャンバを含み、前記スライドチャンバの中にはスライドブロックがスライドできるように設置され、前記スライドブロックの右端面の中には針時計が固定的に設置され、前記伝動装置の中にはモータが設置され、前記モータが前記スライドブロックと前記翻転ロッドとに伝動できるように連結され、
前記モータが前記昇降板を制御し両側にオープンさせ、同時に前記スライドブロックが前記昇降板の間まで右に移動し、二つの方式で時間を表示することを特徴とする多方式で時間を表示する掛け時計。
【請求項２】
前記数字表示装置は前記掛け時計本体の中の右端に設置される上下に貫通しており、且つ右方に開口した開口チャンバを含み、前記開口チャンバの前後両側にはガイドスライドチャンバが対称的に連通するように設置され、前記昇降板が前記開口チャンバの左壁にスライドできるように連結され、また前記昇降板の前後両端が前記ガイドスライドチャンバの中まで伸びており、前記翻転チャンバが前記ガイドスライドチャンバの左側に連通するように設置され、前記翻転ロッドの左端がそれぞれ前記翻転チャンバの上、下両端の前後壁に回転できるように連結され、前記翻転ロッドの軸心の前後両端と前記翻転チャンバの内壁との間にはねじりばねが固定的に連結され、前記翻転ロッドの中には右方に開口した伸縮チャンバが設置され、前記伸縮チャンバの中には伸縮ロッドがスライドできるように設置され、前記昇降板の左端面のうち中心に近接している一端には固定ブロックが固定的に設置され、前記伸縮ロッドの右端が前記固定ブロックにヒンジにより連結され、
前記翻転ロッドにより前記昇降板を昇降連動させ、前記伸縮ロッドが前記伸縮チャンバの中で伸縮することを特徴とする請求項１に記載の多方式で時間を表示する掛け時計。
【請求項３】
前記時計装置は前記スライドチャンバと前記スライドブロックとを含み、前記スライドチャンバの上下両側には復帰溝が対称的に連通するように設置され、前記スライドブロックの上下両端には前記復帰溝の中まで伸びている復帰ブロックが対称的に固定的に設置され、前記復帰ブロックの右端と前記復帰溝の右壁との間には復帰ばねが固定的に連結され、前記スライドブロックの左端面の中には従動スライド溝が設置され、前記従動スライド溝の中には従動スライドブロックが上下に対称的にスライドできるように設置され、前記スライドチャンバの左壁には収縮チャンバが連通するように設置され、前記収縮チャンバの左壁には駆動スライド溝が上下に対称的に連通するように設置され、前記モータが前記駆動スライド溝のうち互いに近接している片側の内壁の中に固定的に設置され、前記モータの上下両端にはねじボルトが対称的に伝動できるように連結され、前記駆動スライド溝の中には前記ねじボルトにネジ山により連結される駆動スライドブロックがスライドできるように設置され、前記駆動スライドブロックの右端と前記従動スライドブロックの左端とが位置ずれであり、且つ前記駆動スライドブロックの右端と前記従動スライドブロックの左端とにヒンジロッドがヒンジにより連結され、前記ヒンジロッドの交差部が回転できるように連結され、
前記モータにより本装置の切り換え動作を制御することを特徴とする請求項１に記載の多方式で時間を表示する掛け時計。
【請求項４】
前記伝動装置は前記駆動スライド溝のうち対称中心から離れている側に連通するように設置される軸通し穴を含み、前記軸通し穴のうち中心から離れている一端には伝動チャンバが連通するように設置され、前記ねじボルトの一端が前記伝動チャンバの中に伸びており、且つ前記ねじボルトの一端には駆動平歯車が固定的に連結され、前記駆動平歯車の右端には前記駆動平歯車と噛合できる従動平歯車が回転できるように設置され、前記従動平歯車のうち中心から離れている一端には不規則傘歯車が固定的に連結され、前記不規則傘歯車の後端には前記不規則傘歯車と噛合できる傘歯車が回転できるように設置され、前記傘歯車の前後両端には伝動軸が固定的に連結され、前記伝動軸の一端が前記翻転チャンバの中まで伸びており、且つ前記翻転ロッドの軸心に固定的に連結され、
前記伝動装置により前記モータの動力を前記数字表示装置に伝達することを特徴とする請求項１に記載の多方式で時間を表示する掛け時計。
【発明の詳細な説明】
【技術分野】
【０００１】
本発明は生活用品技術分野を取り上げて、具体的には多方式で時間を表示する掛け時計である。
【背景技術】
【０００２】
掛け時計は高いところに掛けられて時間を表示することができ、それにより人々が時間を読むことが便利になり、しかし現代の生活では、より多くの創造的な掛け時計が作り出されており、それらの掛け時計は外観だけ変更したが、時間の表示方式が変わらなく、多くの人の時間を読む習慣が一致ではなく、一部分の人は数字を通して読むことに慣れたが、他の人は針の方式で時間を読むことが好きであり、従って、多方式で時間を表示する掛け時計が必要となり、本装置は二つの方式で時間を表示し、同時に時間の表示方式を切り換えるように使用できる。
【先行技術文献】
【特許文献】
【０００３】
【特許文献１】中国特許出願公開第１０３１３５４３１号明細書
【発明の概要】
【発明が解決しようとする課題】
【０００４】
本発明の目的は多方式で時間を表示する掛け時計を提供し、それは上記の現在の技術中の問題を解決できる。
【課題を解決するための手段】
【０００５】
本発明の多方式で時間を表示する掛け時計は、掛け時計本体を含み、前記掛け時計本体の中の右側には数字表示装置が設置され、前記数字表示装置の中には時計装置が設置され、前記掛け時計本体の中の左側には伝動装置が設置され、前記数字表示装置の中には上下に対称している昇降板が設置され、前記昇降板の右端面の中には表示画面が固定的に設置され、前記表示画面の相対する一端が一つになって表示でき、前記掛け時計本体の中の前後両側には翻転チャンバが対称的に設置され、前記翻転チャンバの中には翻転ロッドが上下に対称的に回転できるように設置され、前記翻転ロッドが前記昇降板を連動させ上下両側にオープンさせることができ、同時に前記時計装置を始動し、二つの方式で表示し、前記時計装置は前記掛け時計本体の中に設置されるスライドチャンバを含み、前記スライドチャンバの中にはスライドブロックがスライドできるように設置され、前記スライドブロックの右端面の中には針時計が固定的に設置され、前記伝動装置の中にはモータが設置され、前記モータが前記スライドブロックと前記翻転ロッドとに伝動できるように連結され、
前記モータが前記昇降板を制御し両側にオープンさせ、同時に前記スライドブロックが前記昇降板の間まで右に移動し、二つの方式で時間を表示する。
【０００６】
さらなる技術プラン、前記数字表示装置は前記掛け時計本体の中の右端に設置される上下に貫通しており、且つ右方に開口した開口チャンバを含み、前記開口チャンバの前後両側にはガイドスライドチャンバが対称的に連通するように設置され、前記昇降板が前記開口チャンバの左壁にスライドできるように連結され、また前記昇降板の前後両端が前記ガイドスライドチャンバの中まで伸びており、前記翻転チャンバが前記ガイドスライドチャンバの左側に連通するように設置され、前記翻転ロッドの左端がそれぞれ前記翻転チャンバの上、下両端の前後壁に回転できるように連結され、前記翻転ロッドの軸心の前後両端と前記翻転チャンバの内壁との間にはねじりばねが固定的に連結され、前記翻転ロッドの中には右方に開口した伸縮チャンバが設置され、前記伸縮チャンバの中には伸縮ロッドがスライドできるように設置され、前記昇降板の左端面のうち中心に近接している一端には固定ブロックが固定的に設置され、前記伸縮ロッドの右端が前記固定ブロックにヒンジにより連結され、
前記翻転ロッドにより前記昇降板を昇降連動させ、前記伸縮ロッドが前記伸縮チャンバの中で伸縮する。
【０００７】
さらなる技術プラン、前記時計装置は前記スライドチャンバと前記スライドブロックとを含み、前記スライドチャンバの上下両側には復帰溝が対称的に連通するように設置され、前記スライドブロックの上下両端には前記復帰溝の中まで伸びている復帰ブロックが対称的に固定的に設置され、前記復帰ブロックの右端と前記復帰溝の右壁との間には復帰ばねが固定的に連結され、前記スライドブロックの左端面の中には従動スライド溝が設置され、前記従動スライド溝の中には従動スライドブロックが上下に対称的にスライドできるように設置され、前記スライドチャンバの左壁には収縮チャンバが連通するように設置され、前記収縮チャンバの左壁には駆動スライド溝が上下に対称的に連通するように設置され、前記モータが前記駆動スライド溝のうち互いに近接している片側の内壁の中に固定的に設置され、前記モータの上下両端にはねじボルトが対称的に伝動できるように連結され、前記駆動スライド溝の中には前記ねじボルトにネジ山により連結される駆動スライドブロックがスライドできるように設置され、前記駆動スライドブロックの右端と前記従動スライドブロックの左端とが位置ずれであり、且つ前記駆動スライドブロックの右端と前記従動スライドブロックの左端とにヒンジロッドがヒンジにより連結され、前記ヒンジロッドの交差部が回転できるように連結され、
前記モータにより本装置の切り換え動作を制御する。
【０００８】
さらなる技術プラン、、前記伝動装置は前記駆動スライド溝のうち対称中心から離れている側に連通するように設置される軸通し穴を含み、前記軸通し穴のうち中心から離れている一端には伝動チャンバが連通するように設置され、前記ねじボルトの一端が前記伝動チャンバの中に伸びており、且つ前記ねじボルトの一端には駆動平歯車が固定的に連結され、前記駆動平歯車の右端には前記駆動平歯車と噛合できる従動平歯車が回転できるように設置され、前記従動平歯車のうち中心から離れている一端には不規則傘歯車が固定的に連結され、前記不規則傘歯車の後端には前記不規則傘歯車と噛合できる傘歯車が回転できるように設置され、前記傘歯車の前後両端には伝動軸が固定的に連結され、前記伝動軸の一端が前記翻転チャンバの中まで伸びており、且つ前記翻転ロッドの軸心に固定的に連結され、
前記伝動装置により前記モータの動力を前記数字表示装置に伝達する。
【発明の効果】
【０００９】
本発明の有益的な効果は：本発明は構造が簡単で、操作が便利であり、二つの方式で時間を表示し、同時に時間の表示方式を切り換えるように使用でき、異なる人々の時間観察習慣を満たすと同時に、科学と技術の感覚も持っている。
【図面の簡単な説明】
【００１０】
【図１】図１は本発明の多方式で時間を表示する掛け時計の内部全体構造概略図
【図２】図２は図１のＡ−Ａ方向の構造概略図
【図３】図３は図２のＢ−Ｂ方向の構造概略図
【発明を実施するための形態】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−３に参照し、本発明の多方式で時間を表示する掛け時計は、掛け時計本体１１を含み、前記掛け時計本体１１の中の右側には数字表示装置１０１が設置され、前記数字表示装置１０１の中には時計装置１０２が設置され、前記掛け時計本体１１の中の左側には伝動装置１０３が設置され、前記数字表示装置１０１の中には上下に対称している昇降板１２が設置され、前記昇降板１２の右端面の中には表示画面１３が固定的に設置され、前記表示画面１３の相対する一端が一つになって表示でき、前記掛け時計本体１１の中の前後両側には翻転チャンバ１７が対称的に設置され、前記翻転チャンバ１７の中には翻転ロッド１８が上下に対称的に回転できるように設置され、前記翻転ロッド１８が前記昇降板１２を連動させ上下両側にオープンさせることができ、同時に前記時計装置１０２を始動し、二つの方式で表示し、前記時計装置１０２は前記掛け時計本体１１の中に設置されるスライドチャンバ１４を含み、前記スライドチャンバ１４の中にはスライドブロック１５がスライドできるように設置され、前記スライドブロック１５の右端面の中には針時計１６が固定的に設置され、前記伝動装置１０３の中にはモータ１９が設置され、前記モータ１９が前記スライドブロック１５と前記翻転ロッド１８とに伝動できるように連結され、
前記モータ１９が前記昇降板１２を制御し両側にオープンさせ、同時に前記スライドブロック１５が前記昇降板１２の間まで右に移動し、二つの方式で時間を表示する。
【００１３】
有益的には、前記数字表示装置１０１は前記掛け時計本体１１の中の右端に設置される上下に貫通しており、且つ右方に開口した開口チャンバ２０を含み、前記開口チャンバ２０の前後両側にはガイドスライドチャンバ２１が対称的に連通するように設置され、前記昇降板１２が前記開口チャンバ２０の左壁にスライドできるように連結され、また前記昇降板１２の前後両端が前記ガイドスライドチャンバ２１の中まで伸びており、前記翻転チャンバ１７が前記ガイドスライドチャンバ２１の左側に連通するように設置され、前記翻転ロッド１８の左端がそれぞれ前記翻転チャンバ１７の上、下両端の前後壁に回転できるように連結され、前記翻転ロッド１８の軸心の前後両端と前記翻転チャンバ１７の内壁との間にはねじりばね２５が固定的に連結され、前記翻転ロッド１８の中には右方に開口した伸縮チャンバ２２が設置され、前記伸縮チャンバ２２の中には伸縮ロッド２３がスライドできるように設置され、前記昇降板１２の左端面のうち中心に近接している一端には固定ブロック２４が固定的に設置され、前記伸縮ロッド２３の右端が前記固定ブロック２４にヒンジにより連結され、
前記翻転ロッド１８により前記昇降板１２を昇降連動させ、前記伸縮ロッド２３が前記伸縮チャンバ２２の中で伸縮する。
【００１４】
有益的には、前記時計装置１０２は前記スライドチャンバ１４と前記スライドブロック１５とを含み、前記スライドチャンバ１４の上下両側には復帰溝２６が対称的に連通するように設置され、前記スライドブロック１５の上下両端には前記復帰溝２６の中まで伸びている復帰ブロック２７が対称的に固定的に設置され、前記復帰ブロック２７の右端と前記復帰溝２６の右壁との間には復帰ばね２８が固定的に連結され、前記スライドブロック１５の左端面の中には従動スライド溝２９が設置され、前記従動スライド溝２９の中には従動スライドブロック３０が上下に対称的にスライドできるように設置され、前記スライドチャンバ１４の左壁には収縮チャンバ３１が連通するように設置され、前記収縮チャンバ３１の左壁には駆動スライド溝３２が上下に対称的に連通するように設置され、前記モータ１９が前記駆動スライド溝３２のうち互いに近接している片側の内壁の中に固定的に設置され、前記モータ１９の上下両端にはねじボルト３３が対称的に伝動できるように連結され、前記駆動スライド溝３２の中には前記ねじボルト３３にネジ山により連結される駆動スライドブロック３４がスライドできるように設置され、前記駆動スライドブロック３４の右端と前記従動スライドブロック３０の左端とが位置ずれであり、且つ前記駆動スライドブロック３４の右端と前記従動スライドブロック３０の左端とにヒンジロッド３５がヒンジにより連結され、前記ヒンジロッド３５の交差部が回転できるように連結され、
前記モータ１９により本装置の切り換え動作を制御する。
【００１５】
有益的には、前記伝動装置１０３は前記駆動スライド溝３２のうち対称中心から離れている側に連通するように設置される軸通し穴３６を含み、前記軸通し穴３６のうち中心から離れている一端には伝動チャンバ３７が連通するように設置され、前記ねじボルト３３の一端が前記伝動チャンバ３７の中に伸びており、且つ前記ねじボルト３３の一端には駆動平歯車３８が固定的に連結され、前記駆動平歯車３８の右端には前記駆動平歯車３８と噛合できる従動平歯車３９が回転できるように設置され、前記従動平歯車３９のうち中心から離れている一端には不規則傘歯車４０が固定的に連結され、前記不規則傘歯車４０の後端には前記不規則傘歯車４０と噛合できる傘歯車４１が回転できるように設置され、前記傘歯車４１の前後両端には伝動軸４２が固定的に連結され、前記伝動軸４２の一端が前記翻転チャンバ１７の中まで伸びており、且つ前記翻転ロッド１８の軸心に固定的に連結され、
前記伝動装置１０３により前記モータ１９の動力を前記数字表示装置１０１に伝達する。
【００１６】
初期状態では、スライドブロック１５と針時計１６とが完全にスライドチャンバ１４の中に収納されており、昇降板１２が互いに近接しており開口チャンバ２０を密封し、ねじりばね２５がきつくねじった状態にあり、このとき不規則傘歯車４０と傘歯車４１とが噛合している。
【００１７】
時間を表示するとき、本装置の左端を壁に掛け、表示画面１３により時間を表示し、同時に天気や気温などのデータを表示でき、針の形で時間を表示したい場合、モータ１９が始動しねじボルト３３を回転連動させ、ネジ山連結により駆動スライドブロック３４を連動させて互いに近づくように移動させ、それによりヒンジロッド３５により従動スライドブロック３０を連動させて互いに近づかせまた右に移動させ、スライドブロック１５と針時計１６とを右に移動連動させ、その過程では、ねじボルト３３が駆動平歯車３８を回転連動させ、歯車噛合により従動平歯車３９を回転連動させ、また不規則傘歯車４０を回転連動させ、歯車噛合により傘歯車４１を回転連動させ、また伝動軸４２により翻転ロッド１８を回転連動させ、このとき翻転ロッド１８の右端が互いに離れて両端に水平まで翻転し、伸縮ロッド２３と固定ブロック２４とにより昇降板１２と表示画面１３とを両側に移動連動させ、またスライドチャンバ１４を開け、このときスライドブロック１５が一定な距離を右に移動したが、昇降板１２と接触していなく、このとき不規則傘歯車４０が傘歯車４１との噛合から離脱し、スライドブロック１５が昇降板１２の中間まで右に移動し続け、このとき針時計１６が針により時間を表示し、表示画面１３がそれぞれ上下両側に位置し、数字によりデータを表示し、二つの方式で同時に表示する。
【００１８】
本発明の有益的な効果は：本発明は構造が簡単で、操作が便利であり、二つの方式で時間を表示し、同時に時間の表示方式を切り換えるように使用でき、異なる人々の時間観察習慣を満たすと同時に、科学と技術の感覚も持っている。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173237.tif 000003
【図２】
2020173237.tif 000004
【図３】
2020173237.tif 000005
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
掛け時計本体を含み、前記掛け時計本体の中の右側には数字表示装置が設置され、前記数字表示装置の中には時計装置が設置され、前記掛け時計本体の中の左側には伝動装置が設置され、前記数字表示装置の中には上下に対称に設けられた昇降板が設置され、前記昇降板の右端面の中には表示画面が固定的に設置され、前記表示画面の相対する一端が一つになって表示でき、前記掛け時計本体の中の前後両側には翻転チャンバが対称的に設置され、前記翻転チャンバの中には翻転ロッドが上下に対称的に回転できるように設置され、前記翻転ロッドが前記昇降板を連動させ上下両側にオープンさせることができ、前記時計装置は前記掛け時計本体の中に設置されるスライドチャンバを含み、前記スライドチャンバの中にはスライドブロックがスライドできるように設置され、前記スライドブロックの右端面の中には針時計が固定的に設置され、前記伝動装置の中にはモータが設置され、前記モータが前記スライドブロックと前記翻転ロッドとに伝動できるように連結されることを特徴とする多方式で時間を表示する掛け時計。
【請求項２】
前記数字表示装置は前記掛け時計本体の中の右端に設置される上下に貫通しており、且つ右方に開口した開口チャンバを含み、前記開口チャンバの前後両側にはガイドスライドチャンバが対称的に連通するように設置され、前記昇降板が前記開口チャンバの左壁にスライドできるように連結され、また前記昇降板の前後両端が前記ガイドスライドチャンバの中まで伸びており、前記翻転チャンバが前記ガイドスライドチャンバの左側に連通するように設置され、前記翻転ロッドの左端がそれぞれ前記翻転チャンバの上、下両端の前後壁に回転できるように連結され、前記翻転ロッドの軸心の前後両端と前記翻転チャンバの内壁との間にはねじりばねが固定的に連結され、前記翻転ロッドの中には右方に開口した伸縮チャンバが設置され、前記伸縮チャンバの中には伸縮ロッドがスライドできるように設置され、前記昇降板の左端面のうち中心に近接している一端には固定ブロックが固定的に設置され、前記伸縮ロッドの右端が前記固定ブロックにヒンジにより連結され、
前記翻転ロッドにより前記昇降板を昇降連動させ、前記伸縮ロッドが前記伸縮チャンバの中で伸縮することを特徴とする請求項１に記載の多方式で時間を表示する掛け時計。
【請求項３】
前記時計装置は前記スライドチャンバと前記スライドブロックとを含み、前記スライドチャンバの上下両側には復帰溝が対称的に連通するように設置され、前記スライドブロックの上下両端には前記復帰溝の中まで伸びている復帰ブロックが対称的に固定的に設置され、前記復帰ブロックの右端と前記復帰溝の右壁との間には復帰ばねが固定的に連結され、前記スライドブロックの左端面の中には従動スライド溝が設置され、前記従動スライド溝の中には従動スライドブロックが上下に対称的にスライドできるように設置され、前記スライドチャンバの左壁には収縮チャンバが連通するように設置され、前記収縮チャンバの左壁には駆動スライド溝が上下に対称的に連通するように設置され、前記モータが前記駆動スライド溝のうち互いに近接している片側の内壁の中に固定的に設置され、前記モータの上下両端にはねじボルトが対称的に伝動できるように連結され、前記駆動スライド溝の中には前記ねじボルトにネジ山により連結される駆動スライドブロックがスライドできるように設置され、前記駆動スライドブロックの右端と前記従動スライドブロックの左端とが位置ずれであり、且つ前記駆動スライドブロックの右端と前記従動スライドブロックの左端とにヒンジロッドがヒンジにより連結され、前記ヒンジロッドの交差部が回転できるように連結され、
前記モータにより本装置の切り換え動作を制御することを特徴とする請求項１に記載の多方式で時間を表示する掛け時計。
【請求項４】
前記伝動装置は前記駆動スライド溝のうち対称中心から離れている側に連通するように設置される軸通し穴を含み、前記軸通し穴のうち中心から離れている一端には伝動チャンバが連通するように設置され、前記ねじボルトの一端が前記伝動チャンバの中に伸びており、且つ前記ねじボルトの一端には駆動平歯車が固定的に連結され、前記駆動平歯車の右端には前記駆動平歯車と噛合できる従動平歯車が回転できるように設置され、前記従動平歯車のうち中心から離れている一端には不規則傘歯車が固定的に連結され、前記不規則傘歯車の後端には前記不規則傘歯車と噛合できる傘歯車が回転できるように設置され、前記傘歯車の前後両端には伝動軸が固定的に連結され、前記伝動軸の一端が前記翻転チャンバの中まで伸びており、且つ前記翻転ロッドの軸心に固定的に連結され、
前記伝動装置により前記モータの動力を前記数字表示装置に伝達することを特徴とする請求項３に記載の多方式で時間を表示する掛け時計。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的には多方式で時間を表示する掛け時計である。
【背景技術】
【０００２】
掛け時計は高いところに掛けられて時間を表示することができ、それにより人々が時間を読むことが便利になり、しかし現代の生活では、より多くの創造的な掛け時計が作り出されており、それらの掛け時計は外観だけ変更したが、時間の表示方式が変わらなく、多くの人の時間を読む習慣が一致ではなく、一部分の人は数字を通して読むことに慣れたが、他の人は針の方式で時間を読むことが好きであり、従って、多方式で時間を表示する掛け時計が必要となり、本装置は二つの方式で時間を表示し、同時に時間の表示方式を切り換えるように使用できる。
【先行技術文献】
【特許文献】
【０００３】
【特許文献１】中国特許出願公開第１０３１３５４３１号明細書
【発明の概要】
【発明が解決しようとする課題】
【０００４】
本発明の目的は多方式で時間を表示する掛け時計を提供し、それは上記の現在の技術中の問題を解決できる。
【課題を解決するための手段】
【０００５】
本発明の多方式で時間を表示する掛け時計は、掛け時計本体を含み、前記掛け時計本体の中の右側には数字表示装置が設置され、前記数字表示装置の中には時計装置が設置され、前記掛け時計本体の中の左側には伝動装置が設置され、前記数字表示装置の中には上下に対称に設けられた昇降板が設置され、前記昇降板の右端面の中には表示画面が固定的に設置され、前記表示画面の相対する一端が一つになって表示でき、前記掛け時計本体の中の前後両側には翻転チャンバが対称的に設置され、前記翻転チャンバの中には翻転ロッドが上下に対称的に回転できるように設置され、前記翻転ロッドが前記昇降板を連動させ上下両側にオープンさせることができ、前記時計装置は前記掛け時計本体の中に設置されるスライドチャンバを含み、前記スライドチャンバの中にはスライドブロックがスライドできるように設置され、前記スライドブロックの右端面の中には針時計が固定的に設置され、前記伝動装置の中にはモータが設置され、前記モータが前記スライドブロックと前記翻転ロッドとに伝動できるように連結される。
【０００６】
さらなる技術プラン、前記数字表示装置は前記掛け時計本体の中の右端に設置される上下に貫通しており、且つ右方に開口した開口チャンバを含み、前記開口チャンバの前後両側にはガイドスライドチャンバが対称的に連通するように設置され、前記昇降板が前記開口チャンバの左壁にスライドできるように連結され、また前記昇降板の前後両端が前記ガイドスライドチャンバの中まで伸びており、前記翻転チャンバが前記ガイドスライドチャンバの左側に連通するように設置され、前記翻転ロッドの左端がそれぞれ前記翻転チャンバの上、下両端の前後壁に回転できるように連結され、前記翻転ロッドの軸心の前後両端と前記翻転チャンバの内壁との間にはねじりばねが固定的に連結され、前記翻転ロッドの中には右方に開口した伸縮チャンバが設置され、前記伸縮チャンバの中には伸縮ロッドがスライドできるように設置され、前記昇降板の左端面のうち中心に近接している一端には固定ブロックが固定的に設置され、前記伸縮ロッドの右端が前記固定ブロックにヒンジにより連結され、
前記翻転ロッドにより前記昇降板を昇降連動させ、前記伸縮ロッドが前記伸縮チャンバの中で伸縮する。
【０００７】
さらなる技術プラン、前記時計装置は前記スライドチャンバと前記スライドブロックとを含み、前記スライドチャンバの上下両側には復帰溝が対称的に連通するように設置され、前記スライドブロックの上下両端には前記復帰溝の中まで伸びている復帰ブロックが対称的に固定的に設置され、前記復帰ブロックの右端と前記復帰溝の右壁との間には復帰ばねが固定的に連結され、前記スライドブロックの左端面の中には従動スライド溝が設置され、前記従動スライド溝の中には従動スライドブロックが上下に対称的にスライドできるように設置され、前記スライドチャンバの左壁には収縮チャンバが連通するように設置され、前記収縮チャンバの左壁には駆動スライド溝が上下に対称的に連通するように設置され、前記モータが前記駆動スライド溝のうち互いに近接している片側の内壁の中に固定的に設置され、前記モータの上下両端にはねじボルトが対称的に伝動できるように連結され、前記駆動スライド溝の中には前記ねじボルトにネジ山により連結される駆動スライドブロックがスライドできるように設置され、前記駆動スライドブロックの右端と前記従動スライドブロックの左端とが位置ずれであり、且つ前記駆動スライドブロックの右端と前記従動スライドブロックの左端とにヒンジロッドがヒンジにより連結され、前記ヒンジロッドの交差部が回転できるように連結され、
前記モータにより本装置の切り換え動作を制御する。
【０００８】
さらなる技術プラン、、前記伝動装置は前記駆動スライド溝のうち対称中心から離れている側に連通するように設置される軸通し穴を含み、前記軸通し穴のうち中心から離れている一端には伝動チャンバが連通するように設置され、前記ねじボルトの一端が前記伝動チャンバの中に伸びており、且つ前記ねじボルトの一端には駆動平歯車が固定的に連結され、前記駆動平歯車の右端には前記駆動平歯車と噛合できる従動平歯車が回転できるように設置され、前記従動平歯車のうち中心から離れている一端には不規則傘歯車が固定的に連結され、前記不規則傘歯車の後端には前記不規則傘歯車と噛合できる傘歯車が回転できるように設置され、前記傘歯車の前後両端には伝動軸が固定的に連結され、前記伝動軸の一端が前記翻転チャンバの中まで伸びており、且つ前記翻転ロッドの軸心に固定的に連結され、
前記伝動装置により前記モータの動力を前記数字表示装置に伝達する。
【発明の効果】
【０００９】
本発明の有益的な効果は：本発明は構造が簡単で、操作が便利であり、二つの方式で時間を表示し、同時に時間の表示方式を切り換えるように使用でき、異なる人々の時間観察習慣を満たすと同時に、科学と技術の感覚も持っている。
【図面の簡単な説明】
【００１０】
【図１】図１は本発明の多方式で時間を表示する掛け時計の内部全体構造概略図
【図２】図２は図１のＡ−Ａ方向の構造概略図
【図３】図３は図２のＢ−Ｂ方向の構造概略図
【発明を実施するための形態】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−３に参照し、本発明の多方式で時間を表示する掛け時計は、掛け時計本体１１を含み、前記掛け時計本体１１の中の右側には数字表示装置１０１が設置され、前記数字表示装置１０１の中には時計装置１０２が設置され、前記掛け時計本体１１の中の左側には伝動装置１０３が設置され、前記数字表示装置１０１の中には上下に対称に設けられた昇降板１２が設置され、前記昇降板１２の右端面の中には表示画面１３が固定的に設置され、前記表示画面１３の相対する一端が一つになって表示でき、前記掛け時計本体１１の中の前後両側には翻転チャンバ１７が対称的に設置され、前記翻転チャンバ１７の中には翻転ロッド１８が上下に対称的に回転できるように設置され、前記翻転ロッド１８が前記昇降板１２を連動させ上下両側にオープンさせることができ、前記時計装置１０２は前記掛け時計本体１１の中に設置されるスライドチャンバ１４を含み、前記スライドチャンバ１４の中にはスライドブロック１５がスライドできるように設置され、前記スライドブロック１５の右端面の中には針時計１６が固定的に設置され、前記伝動装置１０３の中にはモータ１９が設置され、前記モータ１９が前記スライドブロック１５と前記翻転ロッド１８とに伝動できるように連結される。
【００１３】
有益的には、前記数字表示装置１０１は前記掛け時計本体１１の中の右端に設置される上下に貫通しており、且つ右方に開口した開口チャンバ２０を含み、前記開口チャンバ２０の前後両側にはガイドスライドチャンバ２１が対称的に連通するように設置され、前記昇降板１２が前記開口チャンバ２０の左壁にスライドできるように連結され、また前記昇降板１２の前後両端が前記ガイドスライドチャンバ２１の中まで伸びており、前記翻転チャンバ１７が前記ガイドスライドチャンバ２１の左側に連通するように設置され、前記翻転ロッド１８の左端がそれぞれ前記翻転チャンバ１７の上、下両端の前後壁に回転できるように連結され、前記翻転ロッド１８の軸心の前後両端と前記翻転チャンバ１７の内壁との間にはねじりばね２５が固定的に連結され、前記翻転ロッド１８の中には右方に開口した伸縮チャンバ２２が設置され、前記伸縮チャンバ２２の中には伸縮ロッド２３がスライドできるように設置され、前記昇降板１２の左端面のうち中心に近接している一端には固定ブロック２４が固定的に設置され、前記伸縮ロッド２３の右端が前記固定ブロック２４にヒンジにより連結され、
前記翻転ロッド１８により前記昇降板１２を昇降連動させ、前記伸縮ロッド２３が前記伸縮チャンバ２２の中で伸縮する。
【００１４】
有益的には、前記時計装置１０２は前記スライドチャンバ１４と前記スライドブロック１５とを含み、前記スライドチャンバ１４の上下両側には復帰溝２６が対称的に連通するように設置され、前記スライドブロック１５の上下両端には前記復帰溝２６の中まで伸びている復帰ブロック２７が対称的に固定的に設置され、前記復帰ブロック２７の右端と前記復帰溝２６の右壁との間には復帰ばね２８が固定的に連結され、前記スライドブロック１５の左端面の中には従動スライド溝２９が設置され、前記従動スライド溝２９の中には従動スライドブロック３０が上下に対称的にスライドできるように設置され、前記スライドチャンバ１４の左壁には収縮チャンバ３１が連通するように設置され、前記収縮チャンバ３１の左壁には駆動スライド溝３２が上下に対称的に連通するように設置され、前記モータ１９が前記駆動スライド溝３２のうち互いに近接している片側の内壁の中に固定的に設置され、前記モータ１９の上下両端にはねじボルト３３が対称的に伝動できるように連結され、前記駆動スライド溝３２の中には前記ねじボルト３３にネジ山により連結される駆動スライドブロック３４がスライドできるように設置され、前記駆動スライドブロック３４の右端と前記従動スライドブロック３０の左端とが位置ずれであり、且つ前記駆動スライドブロック３４の右端と前記従動スライドブロック３０の左端とにヒンジロッド３５がヒンジにより連結され、前記ヒンジロッド３５の交差部が回転できるように連結され、
前記モータ１９により本装置の切り換え動作を制御する。
【００１５】
有益的には、前記伝動装置１０３は前記駆動スライド溝３２のうち対称中心から離れている側に連通するように設置される軸通し穴３６を含み、前記軸通し穴３６のうち中心から離れている一端には伝動チャンバ３７が連通するように設置され、前記ねじボルト３３の一端が前記伝動チャンバ３７の中に伸びており、且つ前記ねじボルト３３の一端には駆動平歯車３８が固定的に連結され、前記駆動平歯車３８の右端には前記駆動平歯車３８と噛合できる従動平歯車３９が回転できるように設置され、前記従動平歯車３９のうち中心から離れている一端には不規則傘歯車４０が固定的に連結され、前記不規則傘歯車４０の後端には前記不規則傘歯車４０と噛合できる傘歯車４１が回転できるように設置され、前記傘歯車４１の前後両端には伝動軸４２が固定的に連結され、前記伝動軸４２の一端が前記翻転チャンバ１７の中まで伸びており、且つ前記翻転ロッド１８の軸心に固定的に連結され、
前記伝動装置１０３により前記モータ１９の動力を前記数字表示装置１０１に伝達する。
【００１６】
初期状態では、スライドブロック１５と針時計１６とが完全にスライドチャンバ１４の中に収納されており、昇降板１２が互いに近接しており開口チャンバ２０を密封し、ねじりばね２５がきつくねじった状態にあり、このとき不規則傘歯車４０と傘歯車４１とが噛合している。
【００１７】
時間を表示するとき、本装置の左端を壁に掛け、表示画面１３により時間を表示し、同時に天気や気温などのデータを表示でき、針の形で時間を表示したい場合、モータ１９が始動しねじボルト３３を回転連動させ、ネジ山連結により駆動スライドブロック３４を連動させて互いに近づくように移動させ、それによりヒンジロッド３５により従動スライドブロック３０を連動させて互いに近づかせまた右に移動させ、スライドブロック１５と針時計１６とを右に移動連動させ、その過程では、ねじボルト３３が駆動平歯車３８を回転連動させ、歯車噛合により従動平歯車３９を回転連動させ、また不規則傘歯車４０を回転連動させ、歯車噛合により傘歯車４１を回転連動させ、また伝動軸４２により翻転ロッド１８を回転連動させ、このとき翻転ロッド１８の右端が互いに離れて両端に水平まで翻転し、伸縮ロッド２３と固定ブロック２４とにより昇降板１２と表示画面１３とを両側に移動連動させ、またスライドチャンバ１４を開け、このときスライドブロック１５が一定な距離を右に移動したが、昇降板１２と接触していなく、このとき不規則傘歯車４０が傘歯車４１との噛合から離脱し、スライドブロック１５が昇降板１２の中間まで右に移動し続け、このとき針時計１６が針により時間を表示し、表示画面１３がそれぞれ上下両側に位置し、数字によりデータを表示し、二つの方式で同時に表示する。
【００１８】
本発明の有益的な効果は：本発明は構造が簡単で、操作が便利であり、二つの方式で時間を表示し、同時に時間の表示方式を切り換えるように使用でき、異なる人々の時間観察習慣を満たすと同時に、科学と技術の感覚も持っている。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。